(57)【要約】【課題】本発明は、入射した光線を測定に十分に利用でき、より高精度の測定を容易かつ確実に行うことができる液浸プローブの提供を目的とする。【解決手段】本発明の液浸プローブは、一方の底面側に入射部及び出射部を有する略円柱の形状のＡＴＲ結晶と、上記入射部からＡＴＲ結晶に光線を入射させるための導光手段と、この導光手段によって入射され、ＡＴＲ結晶の側面及び他方の底面側で反射され、かつ上記出射部から出射される光線を受光する受光手段を備える液浸プローブであって、上記ＡＴＲ結晶の他方の底面の少なくとも周縁部が、側面から連続する曲面であることを特徴とする。上記ＡＴＲ結晶の他方の底面の周縁部が球面であるとよい。上記球面の曲率半径が、上記円柱の半径と略同一であるとよい。別の本発明は、上記構成からなる液浸プローブを備えている赤外分光光度計である。【選択図】図５
2017021024.tif 000002
【特許請求の範囲】
【請求項１】
一方の底面側に入射部及び出射部を有する略円柱の形状のＡＴＲ結晶と、
上記入射部からＡＴＲ結晶に光線を入射させるための導光手段と、
この導光手段によって入射され、ＡＴＲ結晶の側面及び他方の底面側で反射され、かつ上記出射部から出射される光線を受光する受光手段を備える液浸プローブであって、
上記ＡＴＲ結晶の他方の底面の少なくとも周縁部が、側面から連続する曲面であることを特徴とする液浸プローブ。
【請求項２】
上記ＡＴＲ結晶の他方の底面の周縁部が球面である請求項１に記載の液浸プローブ。
【請求項３】
上記球面の曲率半径が、上記円柱の半径と略同一である請求項２に記載の液浸プローブ。
【請求項４】
上記入射部又は出射部が、ＡＴＲ結晶の軸方向と垂直な仮想平面に対して非平行な傾斜面から構成され、この入射部又は出射部の法線方向と上記仮想平面とのなす角度αが４５°未満であり、
Ｌを上記円柱の半径とした場合、上記球面である周縁部の軸方向投影領域における側面から円柱の軸向きの幅Ｗが、Ｌ（１−ｃｏｓ２α）以上である請求項２又は請求項３に記載の液浸プローブ。
【請求項５】
請求項１から請求項４のいずれか１項に記載の液浸プローブを備えている赤外分光光度計。
【請求項６】
一方の底面側に入射部及び出射部を有する略円柱の形状を有し、
他方の底面の少なくとも周縁部が、側面から連続する曲面であるＡＴＲ結晶。
【発明の詳細な説明】
【技術分野】
【０００１】
本発明は、液浸プローブ及び赤外分光光度計並びにＡＴＲ結晶に関する。
【背景技術】
【０００２】
従来、液浸プローブは、例えば化学反応槽における反応の進行度を測定するために用いられている。（１）このような液浸プローブとしては、出光手段としての出光用光ファイバー、及びこの出光用光ファイバーからの光線を受光する受光用光ファイバーを備え、この出光用光ファイバーから受光用光ファイバーまでの光路中に測定対象である反応液が介在可能な空洞部が設けられている（特開２００９−２５０８２５号公報参照）。そして、この液浸プローブを反応液に浸漬した状態で、上記出光用光ファイバーから光線を出射すると、この光線が上記空洞部に介在される反応液を透過する際に一部の波長の光線が吸収される。このため、受光用光ファイバーで受光した光線を分析することで、反応液の状態等を把握することができ、このため反応の進行度を測定できる。
【０００３】
また、物質を分析する方法の一つに全反射減衰法（ＡＴＲ法（ａｔｔｅｎｕａｔｅｄ  ｔｏｔａｌ  ｒｅｆｌｅｃｔｉｏｎ法））がある。（２）この全反射減衰法では、図１９に示すように、光線１０３が測定対象１０２の表面に向かって臨界角以上の入射角で入射すると、光線１０３はプリズム１０１と測定対象１０２との界面で全反射する。そして、全反射の際にエバネッセント波が測定対象１０２側に浸透する。全反射に際して光線は、測定対象１０２固有の吸収（浸透）がなされる。このため、プリズム１０１から出射された光線１０３を分析することにより、測定対象の状態を把握することができる。この全反射減衰法を用いて物質の状態を測定する素子としては、ＡＴＲプローブが公知である（特開２００４−８５４３３号公報参照）。このようなＡＴＲプローブは、ＡＴＲ結晶と、ＡＴＲ結晶に光線を入射させるための導光用光ファイバーと、ＡＴＲ結晶から出射された光線を受光する受光用光ファイバーとを備え、このＡＴＲ結晶は光線を反射する角錐部又は円錐部を有している。さらに、このＡＴＲプローブは、導光用光ファイバーとＡＴＲ結晶との間に配設され、平行光線がＡＴＲ結晶に入射されるよう光路を調整するための入射レンズを備える。また、このＡＴＲプローブは、受光用光ファイバーとＡＴＲ結晶との間に配設され、平行光線が受光用光ファイバーに入射されるよう光路を調整するための出射レンズを備える。この入射レンズ及び出射レンズによって、平行光線がＡＴＲ結晶の角錐部において全反射し、この全反射した光線が平行光線とされて受光用光ファイバーが受光して、上述のような測定が行われている。
【０００４】
さらに、（３）一方の底面側に入射部及び出射部を有する略円柱の形状のＡＴＲ結晶と、上記入射部からＡＴＲ結晶に光線を入射させるための導光手段と、この導光手段によって入射され、ＡＴＲ結晶の側面及び他方の底面側で反射され、かつ上記出射部から出射される光線を受光する受光手段を備え、上記入射部及び出射部が、ＡＴＲ結晶の仮想平面に対して非平行な傾斜面から構成されている液浸プローブが公知である（特開２０１５−７５４４８号公報）。この略円柱の形状を有するＡＴＲ結晶を用いる液浸プローブにあっては、測定対象たる液体に浸漬した状態で、導光手段から入射された光線が、ＡＴＲ結晶の側面での反射を繰り返すことで略らせん状に他方側の底面に向けて進み、他方側の底面で反射されて、再度ＡＴＲ結晶の側面での反射を繰り返すことで略らせん状に一方側の底面に向けて進み、このような反射に際して、光線は測定対象固有の波長が吸収される。そして、このようにＡＴＲ結晶内を進んだ光線は、出射部から出射され、受光手段によって受光される。この受光手段によって受光された光線を分析し、吸収された光線を特定することで、測定対象の状態等を判断することができる。
【先行技術文献】
【特許文献】
【０００５】
【特許文献１】特開２００９−２５０８２５号公報
【特許文献２】特開２００４−８５４３３号公報
【特許文献３】特開２０１５−７５４４８号公報
【発明の概要】
【発明が解決しようとする課題】
【０００６】
しかし、（１）上記従来の空洞部を有する液浸プローブにあっては、空洞部に的確に測定対象たる液体が流れ込まないと的確な測定を行うことができない。さらに、この空洞部に介在される液体内に気泡が存在すると、精度の良い測定を行うことができない。
【０００７】
また、（２）上記ＡＴＲプローブにあっては、上述のように光路を調製する光学レンズを配設しても、光線をＡＴＲ結晶で確実に全反射させ、さらに受光用光ファイバーで正確に受光させるためには、導光用光ファイバー、受光用光ファイバー、光学レンズ及びＡＴＲ結晶の位置決めを精度良く行う必要がある。つまり、この位置決めに僅かなズレが生じても、受光用光ファイバーによって正確に光線を受光できず、精度の良い測定を行うことができない。さらに、全反射減衰法では上述のように臨界角以上の入射角で測定対象との界面に光線を入射させる必要があり、測定対象の屈折率によって上記臨界角は異なるため、測定対象に応じてその都度上述のような位置決めを精度良く行う必要がある。
【０００８】
さらに、（３）特許文献３のように略円柱の形状を有するＡＴＲ結晶を用いる液浸プローブにあっては、光線が略円柱の形状の側面で複数回反射するので、上述の（１）及び（２）と比べて高精度の測定を容易かつ確実に行うことができるが、本発明者が鋭意検討した結果、入射した光線を測定に十分に利用できていないことが判明した。その原因としては、本発明者が精密に検討したところ、略円柱の形状のＡＴＲ結晶の側面と他方側の底面との間の角部が不連続点となっているため、この不連続点から光線が測定対象たる液体に出射されてしまい、この出射された光量が測定に利用されていないためと考えられる。
【０００９】
そこで、本発明は、上記従来の技術の不都合に着目してなされたものであり、入射した光線を測定に十分に利用でき、より高精度の測定を容易かつ確実に行うことができる液浸プローブ及び赤外分光光度計並びにＡＴＲ結晶を提供することを課題とする。
【課題を解決するための手段】
【００１０】
本発明は、上記課題を解決するためになされたものであり、本発明に係る液浸プローブは、一方の底面側に入射部及び出射部を有する略円柱の形状のＡＴＲ結晶と、上記入射部からＡＴＲ結晶に光線を入射させるための導光手段と、この導光手段によって入射され、ＡＴＲ結晶の側面及び他方の底面側で反射され、かつ上記出射部から出射される光線を受光する受光手段を備える液浸プローブであって、上記ＡＴＲ結晶の他方の底面の少なくとも周縁部が、側面から連続する曲面であることを特徴とする。
【００１１】
当該液浸プローブは、測定対象たる液体に浸漬した状態で、導光手段からの光線がＡＴＲ結晶内に入射されると、この光線は、ＡＴＲ結晶の側面での反射を繰り返し、略円柱状のＡＴＲ結晶内を略らせん状に他方の底面側に向けて進む。そして、この光線は、他方側の底面で反射され、再度ＡＴＲ結晶の側面での反射を繰り返すことで略らせん状に一方側の底面（入射部及び出射部側の底面）に向けて進む。このような反射に際して、光線は測定対象固有の波長が吸収される。そして、このようにＡＴＲ結晶内を進んだ光線は、出射部から出射され、受光手段によって受光される。この受光手段によって受光された光線を分析し、吸収された光線を特定することで、測定対象の状態等を判断することができる。当該液浸プローブは、上述のように光線が略円柱状のＡＴＲ結晶内を略らせん状に進み、ＡＴＲ結晶の側面で光線の反射が繰り返し行われるので、上記測定対象固有の波長の吸収が顕著となり、このため容易かつ確実に高精度の測定を行うことができる。
【００１２】
しかも、当該液浸プローブは、上述のようにＡＴＲ結晶の他方の底面の少なくとも周縁部が側面から連続する曲面であるので、側面と底面との境界部分から光線が測定対象である液体への出射を抑制することができる。このため、当該液浸プローブは、入射した光線を効率的に測定に利用することができ、より高精度の測定を容易かつ確実に行うことができる。
【００１３】
上記ＡＴＲ結晶の他方の底面の周縁部が球面であることが好ましい。これにより、底面の周縁部で光線をより確実に出射部側に向けて反射することができる。なお、本発明において「球面」とは、球の全表面を意味するものではなく、球の表面の一部を構成する面を意味する。
【００１４】
上記球面の曲率半径が、上記円柱の半径と略同一であることが好ましい。これにより、底面の周縁部で光線をより確実に出射部側に向けて反射することができる。
【００１５】
上記入射部又は出射部が、ＡＴＲ結晶の軸方向と垂直な仮想平面に対して非平行な傾斜面から構成されていることが好ましい。このように入射部又は出射部がＡＴＲ結晶の仮想平面に対して非平行な傾斜面から構成されることで、上述のように略らせん状に進むように光線を入射又は出射させやすい。さらに、この入射部又は出射部の法線方向とＡＴＲ結晶の軸方向と垂直な仮想平面とのなす角度αが４５°未満であることが好ましく、これにより上述のように略らせん状に進むように光線をＡＴＲ結晶への入射及び出射がより容易かつ確実に行うことができる。
【００１６】
この場合、上記球面である周縁部の軸方向投影領域における側面から円柱の軸向きの幅Ｗが、Ｌ（１−ｃｏｓ２α）以上であることが好ましい（但し、Ｌは上記円柱の半径である）。
【００１７】
これにより、らせん状に他方の底面側に向いて進んだ光線が、球面である周縁部に的確に入射し、この底面側で一方の底面側に向けて的確に反射させることができる。
【００１８】
また、上記課題を解決するための別の発明は、当該液浸プローブを備える赤外分光光度計である。当該赤外分光光度計は、当該液浸プローブを備えるので、精度の高い測定を容易かつ確実に行うことができる。
【００１９】
さらに、上記課題を解決するための別の発明に係るＡＴＲ結晶は、一方の底面側に入射部及び出射部を有する略円柱の形状を有し、他方の底面の少なくとも周縁部が、側面から連続する曲面である。
【００２０】
当該ＡＴＲ結晶は、測定対象たる液体に浸漬した状態で、光線が入射部から入射されると、この光線は、ＡＴＲ結晶の側面での反射を繰り返し、略円柱状のＡＴＲ結晶内を略らせん状に他方の底面側に向けて進み、他方側の底面の周縁部で反射されて、再度ＡＴＲ結晶の側面での反射を繰り返すことで略らせん状に一方側の底面（入射部及び出射部側の底面）に向けて進み、このような反射に際して、光線は測定対象固有の波長が吸収され、この吸収された光線を特定することで、測定対象の状態等を判断することができる。当該液浸プローブは、上述のように光線が略円柱状のＡＴＲ結晶内を略らせん状に進み、ＡＴＲ結晶の側面で光線の反射が繰り返し行われるので、上記測定対象固有の波長の吸収が顕著となり、さらにＡＴＲ結晶の他方の底面の少なくとも周縁部が、側面から連続する曲面であるので、側面と底面との接続部分から光線が測定対象である液体への出射を抑制することができ、このため、入射した光線を効率的に測定に利用することができ、より高精度の測定を容易かつ確実に行うことができる。
【００２１】
なお、球面の曲率半径が円柱の半径と略同一とは、両者が完全に同一の場合に限定されるものではなく、例えば球面の曲率半径が円柱の半径の９０％以上１１０％以下、好ましくは９５％以上１０５％以下であるものも含む。仮想平面とは、略円柱状のＡＴＲ結晶の軸心に垂直な仮想平面を意味する。また、傾斜面とは、上記仮想平面と非平行、つまりは仮想平面に対して傾斜している面を意味し、平面に限られず湾曲面であってもよい。
【発明の効果】
【００２２】
以上説明したように、本発明の液浸プローブ及び赤外分光光度計並びにＡＴＲ結晶は、  射した光線を測定に十分に利用でき、より高精度の測定を容易かつ確実に行うことができる。
【図面の簡単な説明】
【００２３】
【図１】本発明の一実施形態に係る赤外分光光度計の概略図である。
【図２】図１の赤外分光光度計の液浸プローブを示す一部断面を含む模式的側面図である。
【図３】図２の液浸プローブの要部を示す模式的説明図であって、（Ａ）は模式的側面図であり、（Ｂ）は模式的平面図であり、（Ｃ）は模式的正面図である。
【図４】図３の液浸プローブのＡＴＲ結晶の要部を示す模式的側面図である。
【図５】図３のＡＴＲ結晶の光路の模式的説明図であって、（Ａ）は入射光路を説明するための模式的側面図であり、（Ｂ）は出射光路を説明するための模式的側面図であり、（Ｃ）は光路を説明するための模式的平面図である。
【図６】他の実施形態に係る液浸プローブの模式的側面図である。
【図７】他の実施形態に係る液浸プローブの要部を示す模式的断面図である。
【図８】他の実施形態に係る液浸プローブの要部を示す模式的側面図である。
【図９】他の実施形態に係る液浸プローブの要部を示す模式的側面図である。
【図１０】他の実施形態に係る液浸プローブの要部を示す模式的側面図である。
【図１１】他の実施形態に係る液浸プローブの要部を示す一部断面を含む模式的側面図である。
【図１２】他の実施形態に係る液浸プローブの要部を示す模式的側面図である。
【図１３】他の実施形態に係る液浸プローブの要部を示す模式的説明図であって、（Ａ）は模式的平面図であり、（Ｂ）は模式的正面図である。
【図１４】他の実施形態に係る液浸プローブの要部を示す模式的説明図であって、（Ａ）は模式的平面図であり、（Ｂ）は模式的正面図である。
【図１５】他の実施形態に係る液浸プローブの要部を示す模式的側面図である。
【図１６】他の実施形態に係る液浸プローブの要部を示す模式的説明図であって、（Ａ）は模式的側面図であり、（Ｂ）は模式的平面図である。
【図１７】実施例１における水及びエタノールの吸光度分布の測定結果を示すグラフである。
【図１８】実施例２における濃度の異なる硫酸銅の吸光度分布の測定結果を示すグラフである。
【図１９】従来の光学プローブを示す模式的断面図である。
【発明を実施するための形態】
【００２４】
＜赤外分光光度計＞
図１の赤外分光光度計１は、フーリエ変換赤外分光光度計であり、測定対象に赤外光をあてることによりスペクトル情報を得て測定対象の特性や状態等を得る機器である。例えば、当該赤外分光光度計１は、有機溶剤Ｌの反応状態を測定することができる。
【００２５】
当該赤外分光光度計１は、液浸プローブ２、光度計本体３、及び液浸プローブ２と光度計本体３とを接続する接続部４を備える。
【００２６】
（液浸プローブ）
上記液浸プローブ２は、測定対象に赤外光を照射し反射光を得る光学素子である。この液浸プローブ２を有機溶剤Ｌに浸漬させることにより赤外光を照射し反射光を得ることができる。
【００２７】
液浸プローブ２は、図２〜図５に示すように、ＡＴＲ結晶７、導光手段１２、受光手段１３、反射手段１１及びＡＴＲ結晶７等を保持する保持部１４（保持手段）を備える。
【００２８】
ＡＴＲ結晶７は、略円柱状の形状を有し、一方の底面側に入射部８及び出射部９を有している。なお、本実施形態においては、便宜上ＡＴＲ結晶７の入射部８及び出射部９を設けた側を上方とし、他方の底面側を下方として以下説明する。
【００２９】
このＡＴＲ結晶７は、液浸プローブ２の下端部に配設されており、上記ＡＴＲ結晶７の下端は保持部１４よりも下方から突出して配設される（図２参照）。このＡＴＲ結晶７は、この下方の突出部分が有機溶剤Ｌの中に浸漬されて用いられる（図１参照）。そして、上記導光手段１２から出射される光線は、ＡＴＲ結晶７内に入射部８から入射され、ＡＴＲ結晶７の側面で複数回反射される。ここで、入射部８から入射された光線は、略円柱状のＡＴＲ結晶７内を側面で反射しつつ下方に向けて略らせん状に進み（図５（Ａ）参照）、下方の底面１０の周縁部１０ａにおいて反射し、さらに側面で反射しつつ上方に向けて略らせん状に進む（図５（Ｂ）参照）。この反射に際して、有機溶剤Ｌとの界面においてエバネッセント波が有機溶剤Ｌ側に浸透する。つまり、反射に際して光線は、有機溶剤Ｌ固有の吸収（浸透）がなされる。そして、上述のように側面で複数回反射された光線は、上記出射部９から出射され、受光手段１３によって受光される。この受光手段１３によって受光された光線を分析することにより、測定対象の状態を把握することができる。
【００３０】
ＡＴＲ結晶７は、特に限定されないが、ダイヤモンド、サファイア、ジルコン、石英等からなるとよい。これらの中でも高屈折率であること、不活性の特性を有すること、加工性の観点等からサファイア又はジルコンが好ましい。
【００３１】
上記ＡＴＲ結晶７の屈折率の下限としては、１．４３が好ましく、１．４５がより好ましい。上記屈折率が上記下限未満であると、測定対象との屈折率差が小さくなり過ぎ、全反射を行う臨界角が小さくなり過ぎるおそれがある。なお、上記屈折率の上限は、特に限定されるものではなく、例えば２．５とすることができる。なお、上記屈折率は、波長５８９．３ｎｍの光線（ナトリウムのＤ線）を用い、温度２５℃で湿度５０％の状態で測定した値であり、複屈折性を有する場合には常光線の屈折率と異常光線の屈折率との平均値を意味する。
【００３２】
上記入射部８及び出射部９は、ＡＴＲ結晶７の軸方向に垂直な仮想平面Ｂに対して非平行な傾斜面７ａから構成されている。この入射部８又は出射部９を構成する傾斜面７ａは、ＡＴＲ結晶構成材料を切削することで形成されている。また、入射部８及び出射部９を構成する傾斜面７ａは同一平面内にあり（図４及び図５参照）、この平面の中心よりも一方の外側寄り（図５（Ｃ）の紙面上の上側）に入射部８が、他方の外側寄り（図５（Ｃ）の紙面上の下側）に出射部９が配設されることになる。具体的には、ＡＴＲ結晶７の一方の底面は、図３（Ａ）及び図４に示すように階段状に形成されており、仮想平面Ｂに若干傾斜する平行な二つの面７ｂと、この二つの面７ｂの間で段を構成する面（上記傾斜面７ａ）とから構成されている。そして、この段を構成する面（上記傾斜面７ａ）が、上記入射部８及び出射部９として機能する。なお、当該ＡＴＲ結晶７は、後述するように上記入射部８に光線が入射部８に対して略垂直に（傾斜面７ａの法線方向から）入射するよう設けられ、また上記出射部９から出射部９に対して略垂直に（傾斜面７ａの法線方向へ）光線が出射するよう設けられている。ここで、略垂直とは、傾斜面７ａとのなす角度が７０°以上であること、好ましくは８０°以上であることを意味する。
【００３３】
上述のように入射部８及び出射部９を構成する傾斜面７ａは、下方に向かない（上方を向く）よう配設される。上記傾斜面７ａが下方に向いて配設されると、上述のように下方に向けて略らせん状に進むように光線をＡＴＲ結晶７内に入射させにくくなるおそれがある。この傾斜面７ａの法線方向と、ＡＴＲ結晶７の仮想平面Ｂとのなす角度α（図４参照）の上限としては、４５°が好ましく、３５°がより好ましく、２０°がさらに好ましい。入射部８の傾斜面７ａの法線方向と仮想平面Ｂとのなす角度αが上記上限を超えると、上述のように略らせん状に進むように光線をＡＴＲ結晶７内に入射させにくくなるおそれがある。また、出射部９の傾斜面７ａと仮想平面Ｂとのなす角度αが上記上限を超えると、上述のように略らせん状に進んだ光線を出射させにくくなるおそれがある。なお、上記傾斜面７ａの法線方向と上記仮想平面Ｂとのなす角度αの下限は、５°が好ましく、１０°がより好ましい。
【００３４】
上記ＡＴＲ結晶７の入射部８に対向する側面における上縁（図４における右側の側面の上縁）が、上記入射部８よりも下方に配設されている。同様に、上記ＡＴＲ結晶７の出射部９に対向する側面における上縁が、上記出射部９よりも下方に配設されている。具体的には、上記入射部８及び出射部９を構成する傾斜面７ａの下縁と、上記側面における上縁とが、軸方向において略同一位置に配設されている（図４参照）。このように上記側面における上縁が、入射部８及び出射部９よりも下方に配設されていることで、入射部８から入射した光線のうち下方に進行せずに水平位置で反射しただけで出射部９から出射する光線が生ずるおそれが少ない。つまり、水平位置で反射しただけで出射部９から出射される光線は測定ノイズとなり、測定精度の低下を招くおそれがあるが、上記のように構成することで、入射部８から入射した光線は上記側面において下方に向けて反射するので、水平位置でのみ反射して出射部９から光線が出射されることを防止でき、これにより容易かつ確実に高精度の測定を行うことができる。
【００３５】
上記入射部８の軸方向投影位置は、上述のように軸心Ｏよりも外側に配設されている（図５（Ｃ）参照）。この入射部８の軸方向投影位置は、仮想平面Ｂの半径の８０％以上外側にあることが好ましい。すなわち、軸方向投影位置における入射部８と軸心Ｏとの距離の下限は、上述のように仮想平面Ｂの半径の８０％が好ましく、８５％がより好ましく、８９％がさらに好ましい。これにより、入射部８から入射された光線が側面に対して鋭角となりやすく、様々な測定対象において入射角が臨界角以上となり、容易かつ確実に光線をＡＴＲ結晶７内において全反射させることができる。
【００３６】
また、同様に上記出射部９の軸方向投影位置は、上述のように軸心Ｏよりも外側に配設されている（図５（Ｃ）参照）。出射部９の軸方向投影位置と軸心Ｏとの距離の下限は、仮想平面Ｂの半径の８０％が好ましく、８５％がより好ましく、８９％がさらに好ましい。これにより、上述のようにＡＴＲ結晶７内で全反射した光線を出射部９から的確に出射させることができる。
【００３７】
一方、軸方向投影位置における入射部８及び／又は出射部９と軸心Ｏとの距離の上限は、仮想平面Ｂの半径の９５％が好ましく、９３％がより好ましく、９１％がさらに好ましい。これにより、入射部８から光線を的確入射させやすく、また出射部９から光線を的確に出射させやすい。なお、出射部９の軸方向投影位置と軸心Ｏとの距離、及び入射部８の軸方向投影位置と軸心Ｏとの距離は、略同一である。
【００３８】
上記ＡＴＲ結晶７の直径（仮想平面Ｂの直径）は、特に限定されないが、この直径の下限は、０．４ｃｍが好ましく、１ｃｍがより好ましい。また、この直径の上限は、５ｃｍが好ましく、３ｃｍがより好ましい。上記直径が上記下限未満の場合、ＡＴＲ結晶７が小さくなりすぎ、取扱いが困難となるおそれがある。一方、上記直径が上記上限を超える場合、ＡＴＲ結晶７の高額化を招くおそれがある。
【００３９】
上記ＡＴＲ結晶７の側面の上下長さ（入射部８から側面下端までの軸方向の長さ）は、特に限定されないが、この上下長さの下限は０．５ｃｍが好ましく、２ｃｍがより好ましい。また、この上下長さの上限は、２０ｃｍが好ましく、１０ｃｍがより好ましい。上記上下長さが上記下限未満の場合、ＡＴＲ結晶７が小さくなりすぎ、取扱いが困難となるおそれがある。一方、上記上下長さが上記上限を超える場合、ＡＴＲ結晶７の高額化を招くおそれがある。なお、ＡＴＲ結晶７の直径に対する上下長さの比の下限は、１倍が好ましく、２倍がより好ましい。また、上記比の上限は、１０倍が好ましく、８倍がより好ましい。
【００４０】
上記ＡＴＲ結晶７の下側の底面１０（入射部８及び出射部９の形成されていない底面）の周縁部１０ａは、側面から連続する曲面である。ＡＴＲ結晶７の下側の底面１０に到達した光線は、この底面１０の周縁部１０ａで反射され、上方に向けて進行する。この周縁部１０ａが側面から連続する曲面であるので、側面と底面１０との境界部分から光線が測定対象である液体への出射を抑制することができる。なお、この下側の底面１０の中央部は、仮想平面Ｂと平行な面であり、上記周縁部１０ａの内側は中空となっていない。つまり、周縁部１０ａの内側は、ＡＴＲ結晶７の形成材料が存在している。
【００４１】
上記ＡＴＲ結晶の下側の底面１０の周縁部１０ａの曲面は球面である。この球面の曲率半径は、ＡＴＲ結晶７の円柱の半径と略同一である。
【００４２】
この球面である周縁部１０ａの軸方向投影領域における側面から円柱の軸向き（軸心Ｏ側）の幅Ｗは、Ｌ（１−ｃｏｓ２α）以上である（Ｌは、上記円柱の半径である）。さらに、上記幅Ｗの下限は、Ｌ（１−ｃｏｓ２α）の１．１倍が好ましく、１．２倍がより好ましい。これにより、ＡＴＲ結晶７の下側の底面１０に到達する光は、上記球面である周縁部１０ａ以外に入射され難く、より的確に上記周縁部１０ａで光線を反射することができる。
【００４３】
なお、球面である周縁部１０ａの軸方向投影領域内に上記入射部８及び出射部９が位置していることが好ましい。つまり、入射部８及び出射部９の下方には、底面１０の周縁部１０ａが存在することが好ましい。これにより、ＡＴＲ結晶７の下側の底面１０に到達する光が、より確実に上記周縁部１０ａに入射される。
【００４４】
上記ＡＴＲ結晶７は、特に限定されるものではないが、上記底面１０の周縁部１０ａ又は側面の少なくとも一部の外面に蒸着された金属膜を有することが好ましい。これにより、ＡＴＲ結晶７の底面１０の周縁部１０ａ又は側面における特定の光線の吸収がより起こりやすくなり、より高精度の測定を行うことができる。なお、この金属膜は、ＡＴＲ結晶７の外面全体に設けることも可能であり、また有機溶剤Ｌに浸漬される部分のみに設けることも可能である。この金属膜に用いられる金属としては、特に限定されないが、銀、金、銅、亜鉛、アルミニウム、カリウム等が挙げられる。また、金属膜の厚さとしては、特に限定されないが、３０ｎｍ以上７０ｎｍ以下が好ましく、４０ｎｍ以上６０ｎｍ以下が好ましい。金属膜の厚さが上記範囲外の場合、金属膜による測定精度向上効果が十分に得られないおそれがある。
【００４５】
当該液浸プローブ２は、上記反射手段１１として、導光手段１２からの光線を入射部８に向けて反射する入射位置反射手段、及び上記出射部９から出射された光線を受光手段１３に向けて反射する出射位置反射手段を備えている。本実施形態にあっては、この入射位置反射手段と出射位置反射手段とは、同一のミラー１１から構成されている。具体的には、図３（Ａ）に示すように、反射面としての上面が入射部８及び出射部９に向くよう仮想平面Ｂに対して傾斜し、ＡＴＲ結晶７上に載置固定された三角柱状のミラー１１から構成されている。なお、上記反射面としては、例えばアルミニウム等の金属蒸着面から構成することができる。
【００４６】
上記導光手段１２は、上記入射位置反射手段としてのミラー１１の反射面に光線を出射することで、上記入射部８からＡＴＲ結晶７に光線を入射するものであり、導波管としての光ファイバーを備えている。なお、導波管としては、例えば円形又は方形の断面を持つ金属製の管から構成される中空導波管を採用することも可能である。
【００４７】
上記導光手段１２の光ファイバーは、ＡＴＲ結晶７の軸方向に略平行に配設されている。この光ファイバーのコアの直径は、特に限定されないが、この直径の下限は、４０μｍが好ましく、５０μｍがより好ましい。また、この直径の上限は、６００μｍが好ましく、５００μｍがより好ましい。上記光ファイバーのコアの直径が上記下限未満の場合、光線をＡＴＲ結晶７に入射させることが容易にできないおそれがある。一方、上記直径が上記上限を超える場合、液浸プローブ２が大きくなりすぎ、液浸プローブ２の取扱性が損なわれるおそれがある。
【００４８】
この導光手段１２及びミラー１１は、光線が入射部８と略垂直に入射されるよう設けられている。つまり、当該液浸プローブ２にあっては、入射部８から光線が軸方向他方の底面側（下方）に向けて入射される。ここで、この入射する際の光線（入射前の光線）の仮想平面Ｂに対する角度の上限としては、４５°が好ましく、３５°がより好ましく、２０°がさらに好ましい。この光線の上記角度が上記上限を超えると、光線がＡＴＲ結晶７内で反射する回数が少なくなり過ぎるおそれがある。なお、上記角度の下限としては、５°が好ましく、１０°がより好ましい。上記角度が上記下限未満であると、光線の制御が困難となるおそれが生ずる。
【００４９】
上記受光手段１３は、上記出射位置手段としてのミラー１１の反射面を介して、上記出射部９から出射される光線を受光するものであり、導波管としての光ファイバーを備えている（図３（Ｃ）参照）。なお、導波管としては、中空導波管を採用することも可能である。
【００５０】
この受光手段１３の光ファイバーは、ＡＴＲ結晶７の軸方向に略平行に配設されている。この光ファイバーのコアの直径は、特に限定されないが、この直径の下限は、４０μｍが好ましく、５０μｍがより好ましい。また、この直径の上限は、６００μｍが好ましく、５００μｍがより好ましい。上記光ファイバーのコアの直径が上記下限未満の場合、ＡＴＲ結晶７からの光線を的確に受光できなくなるおそれが生ずる。一方、上記直径が上記上限を超える場合、液浸プローブ２が大きくなりすぎ、液浸プローブ２の取扱性が損なわれるおそれがある。なお、上記出射位置反射手段１１は、上記出射部９から略垂直に出射された光線を、上記受光手段１３に向けて上記軸方向と略平行に反射するよう設けられている。
【００５１】
上記保持部１４は、ＡＴＲ結晶７の側面を気密に保持する円筒状の保持部位を有する。具体的には、保持部１４は、ＡＴＲ結晶７の側面に密着するＯリング１４ａを有し、このＯリング１４ａによってＡＴＲ結晶７は気密に保持部１４に保持され、有機溶剤Ｌ等が導光手段１２及び受光手段１３等に付着することが的確に防止されている。
【００５２】
（光度計本体）
光度計本体３は、測定光を出射する光源２１、干渉光を生成する干渉計２２、干渉光を検出する検出器２３、検出器の検出信号をフーリエ変換することによりスペクトル情報を得る変換処理部２４及び表示部２５を備えている。
【００５３】
光源２１は、赤外光の光線を出射する。出射する赤外光としては、特に限定されないが、例えば１μｍ以上１１μｍの波長成分を有する赤外光を採用することができる。また、光源２１としては、特に限定されないが、タングステンヨウ素ランプや高輝度セラミック光源を用いることができる。
【００５４】
干渉計２２は、光源２１より出射された光線を干渉させる。干渉計２２としては、特に限定されないが、マイケルソン干渉計、フィゾー干渉計、マッハツェンダー干渉計等を用いることができる。
【００５５】
検出器２３は、液浸プローブ２より受光した光線を検出する。検出器２３としては、特に限定されないが、ＤＬＡＴＧＳ（Ｄｅｕｔｅｒａｔｅｄ  Ｌ−Ａｌａｎｉｎｅ  Ｔｒｉｇｌｙｃｉｎｅ  Ｓｕｌｐｈａｔｅ）検出器、ＭＣＴ（Ｍｅｒｃｕｒｙ  Ｃａｄｍｉｕｍ  Ｔｅｌｌｕｒｉｕｍ）検出器、ＬｉＴａＯ３（Ｌｉｔｈｉｍｕ  Ｔａｎｔａｌａｔｅ）検出器等を用いることができる。
【００５６】
変換処理部２４は、検出器２３により検出した赤外光をデジタル化し、デジタル化したデータをフーリエ変換することによりスペクトル情報を作成する。なお、変換処理部２４は、具体的には中央処理演算装置や記憶装置である。
【００５７】
表示部２５は、変換処理部２４により得られたスペクトル情報を表示する。表示部２５としては、ディスプレイ、プリンタ等を用いることができる。
【００５８】
（接続部）
接続部４は、液浸プローブ２と光度計本体３とを光学的に接続する。接続部４は、干渉計２２からの光線を液浸プローブ２に入射させるための導光用光ファイバー、液浸プローブ２からの光線を検出器２３に受光させるための受光用光ファイバーを備えている。なお、この導光用ファイバー及び受光用光ファイバーは、導光手段１２及び受光手段１３の光ファイバーと同様のものを用いることができる。
【００５９】
＜利点＞
当該赤外分光光度計１は、液浸プローブ２のＡＴＲ結晶７の下端を有機溶剤Ｌに浸漬した状態で、導光手段１２からの光線をＡＴＲ結晶７内に入射し、受光手段１３で受光された光線を分析して、吸収された光線を特定することで、有機溶剤Ｌの反応状態を把握することができる。ここで、ＡＴＲ結晶７内を光線は略らせん状に進み、ＡＴＲ結晶７の側面及び底面１０の周縁部１０ａで光線の反射が繰り返されるため、有機溶剤Ｌ固有の波長の吸収が顕著となり、このため容易かつ確実に高精度の測定を行うことができる。
【００６０】
このように当該赤外線分光光度計１は、ＡＴＲ結晶７の有機溶剤Ｌとの界面において上記波長の吸収を行わせることで測定対象の状態を判断するものであるので、上記従来の空洞部を有する液浸プローブに比べて、気泡等の存在により測定誤差を生ずるおそれが少なく、高精度の測定を容易かつ確実に行うことができる。
【００６１】
しかも、上記光線の反射は略円柱状のＡＴＲ結晶７の側面で行われるので、導光手段１２から入射された光線がこの略円柱状のＡＴＲ結晶７の側面で全反射しやすく、このため従来の角錐部を有するＡＴＲ結晶を用いるものに比べて、導光手段、受光手段及びＡＴＲ結晶の位置決めを精度高くする必要が少なく、容易かつ確実に高精度の測定を行うことができる。また、このようにＡＴＲ結晶７の側面で全反射が起こりやすいため、種々の検査対象物に対して当該液浸プローブ２を容易かつ確実に用いることができる。
【００６２】
また、入射部８及び出射部９は、ＡＴＲ結晶７の二つの底面のうち同一の底面側（上方の底面側）に設けられているので、入射部８から入射されＡＴＲ結晶７内を下方に略らせん状に進んだ光線は、下方の底面１０の周縁部１０ａによって上方に向けて反射し、再度ＡＴＲ結晶７内を上方に略らせん状に進んだ後、出射部９から出射することになり、このため光線の反射回数が多く、より高精度な測定を行うことができる。また、このように入射部８及び出射部９がともに上方に配設されることで、導光手段１２及び受光手段１３を同一側に配設することができ、例えば出射部９及び入射部８の設けられていない下方を容易かつ確実に有機溶剤Ｌに浸漬することができる。
【００６３】
特に、ＡＴＲ結晶７の下方の底面１０に至った光線は、側面から連続する曲面からなる周縁部１０ａにおいて的確に反射されるので、側面と底面１０との境界部分から光線が測定対象である液体への出射を抑制することができ、このため、当該液浸プローブは、入射した光線を効率的に測定に利用することができ、より高精度の測定を容易かつ確実に行うことができる。
【００６４】
また、上記周縁部１０ａは、ＡＴＲ結晶７の半径と略同一の曲率半径の球面であるので、周縁部１０ａに至った光線を仮想平面Ｂに平行な方向に反射し（図５（Ａ）参照）、この反射された光線がさらに周縁部１０ａの別の箇所に入射され、この周縁部１０ａの別の箇所に入射された光線が上方に向けて的確に反射される（図５（Ｂ）参照）。
【００６５】
上記入射部８及び出射部９を構成する傾斜面７ａが同一平面内にあり、この傾斜面７ａはＡＴＲ結晶構成材料を切削することで形成されているため、容易かつ確実に入射部８及び出射部９を形成することができ、当該液浸プローブ２の製造コストの低減が図られる。
【００６６】
また、入射部８はＡＴＲ結晶７の仮想平面Ｂに対して非平行な傾斜面７ａから構成されているので、上述のように略らせん状に進むように光線を入射させやすい。さらに、出射部９がＡＴＲ結晶７の仮想平面Ｂに対して非平行な傾斜面７ａから構成されているので、上述のように略らせん状に進んだ光線を出射させやすい。
【００６７】
さらに、導光手段１２及び受光手段１３の導波管はＡＴＲ結晶７の軸方向に略平行に配設されるので、装置の小型化を容易かつ確実に図ることができる。しかも、上記導光手段１２の導波管から出射された光線を反射手段１１によって入射部８に向けて反射するので、上述のように配設した導光手段１２の導波管からの光線を容易かつ確実に入射部８からＡＴＲ結晶７内に入射することができる。また、上記出射部９から出射された光線を反射手段１１によって受光手段１３の導波管に向けて反射するので、上述のように配設した受光手段１３の導波管によって出射部９から出射した光線を容易かつ確実に受光することができる。しかも、上記入射位置及び出射位置における反射手段１１は、同一構成のミラーから構成されるので、当該液浸プローブ２の製造コストの低減が図られる。
【００６８】
＜その他の実施形態＞
なお、本発明の液浸プローブ及び赤外分光光度計並びにＡＴＲ結晶は、上記実施形態に限定されるものではなく、種々の変更、改良を施した態様で実施することができる。
【００６９】
つまり、上記実施形態においては、入射部及び出射部の反対側の底面（下側の底面）の周縁部のみを曲面に設けるものについて説明したが、本発明はこれに限定されず、例えば図６に示すように入射部８及び出射部９の反対側の底面１０全体が半球状のものも採用可能である。なお、図６中、第一実施形態と同様の構成については、同一符号を用い、その詳細な説明を省略する。また、後述する図７乃至図１６においても、第一実施形態と同様の構成については、同一符号を用い、その詳細な説明を省略する。
【００７０】
また、上記実施形態において周縁部１０ａの軸方向投影領域における側面から円柱の軸向きの幅ＷがＬ（１−ｃｏｓ２α）以上であるものについて説明したが、この幅Ｗは、下側の底面に到達した光線が周縁部に的確に入射される限り特に限定されるものではない。また、入射部における入射光線と仮想平面とのなす角度βが上記角度αと同一でない場合には、上記幅ＷをＬ（１−ｃｏｓ２β）以上とすることも可能であり、Ｌ（１−ｃｏｓ２β）の１．１倍以上とすることが好ましく、１．２倍以上とすることがより好ましい。
【００７１】
さらに、上記実施形態においては、周縁部１０ａの内側は中空となっていないものについて説明したが、本発明はこれに限定されるものではなく、光路が確保される限り例えば図８に示すように周縁部１０ａの内側が中空１０ｂ（例えば測定対象物である液体が流入する部分）となっているものも本発明の意図する範囲内である。
【００７２】
また、ＡＴＲ結晶７の底面１０の周縁部１０ａの中央部分が、図８に示すように周縁部１０ａから連続する断面円弧状１０ｃになっているものや、図９に示すように円錐状１０ｄになっているものも採用可能である。なお、図６及び図８に示すように底面１０において不連続点を有さない形状とすることが好ましく、これによりノイズ光（測定に不要な光）が出射部から出射し難い利点を有する。図８に関して言及すると、底面１０の周縁部１０ａは、その幅が上記実施形態と同様の幅（Ｌ（１−ｃｏｓ２α））であり、中央部分が周縁部１０ａから連続すると共に周縁部１０ａの曲率半径よりも大きい球面から構成されている。また、図６に示すように底面１０を半球状とすることで、ＡＴＲ結晶７に入射された光線のうち測定に不適な角度の光線が、底面１０の中央部分に入射し、この中央部分で反射される際に測定に適した角度の光線と同様の角度となることを抑制でき、このため出射部から出射されるノイズ光の発生を抑制できる。
【００７３】
また、上述のようなミラーから構成される反射手段を設けたものについて説明したが、本発明はこれに限定されない。具体的には、図１０に示すように、導光手段２２と入射部８との間に反射手段を有さないものも本発明の意図する範囲内であり、同様に、出射部と受光手段との間に反射手段を有さないもの（図示省略）も本発明の意図する範囲内である。図１０においては、導光手段２２の導波管（光ファィバー）の出光面２２ａが入射部８と対向するよう配設されており、この導光手段２２の導波管はＡＴＲ結晶７の軸方向と非平行に配設されている。同様に、受光手段の導波管の受光面を出射部と対向するよう配設し、受光手段の導波管を上記軸方向と非平行に配設することも可能である。
【００７４】
さらに、当該液浸プローブは、導光手段から出射された光線を入射部に向けて集光する入射位置集光手段を備えることで、導光手段から出射された光線を効率よくＡＴＲ結晶に入射することができる。つまり、例えば図１０に示すように、導光手段２２と入射部８との間に入射位置集光手段３０を設けることが可能である。この図１０に示す液浸プローブにあっては、導光手段２２の導波管（光ファイバー）の出光面２２ａに入射位置集光手段３０が付設されている。この入射位置集光手段３０としては、シリンドリカルレンズ等、入射部８に好適に集光できる集光レンズであれば特に限定されないが、ラジアル型屈折率分布型レンズ（セルフォックレンズ（登録商標））を用いることが好ましい。なお、上述のように略円柱状のＡＴＲ結晶を備える当該液浸プローブにあっては、さほど厳密な並行光束でなくとも高精度の測定を行うことができるため、上記ラジアル型屈折率分布型レンズであっても厳密な並行光束を得る程度に厳密に付設されることを必ずしも要せず、光の拡散を抑える程度に付設されていても良い。
【００７５】
また同様に、当該液浸プローブは、上記出射部から出射された光線を受光手段に向けて集光する出射位置集光手段をさらに備えることで、出射部から出射された光線を効率よく受光手段に入射することができる。なお、図１０においては入射位置集光手段３０について図示しているが、出射位置集光手段も同一構成であるため図示を省略する。
【００７６】
さらに、当該液浸プローブは、上記集光手段を設けるとともに反射手段を設けることも可能である。このように集光手段と反射手段とを設けるには、集光手段としての部材と反射手段としての部材をそれぞれ設ける手法と、集光機能と反射機能とを備える部材（集光反射手段）を設ける手法とが考えられる。前者としては、例えば上記実施形態のようなミラー等の反射手段を有する液浸プローブにおいて、導光手段の出光面に図１０に示すようにラジアル型屈折率分布型レンズ（セルフォックレンズ（登録商標））等の集光手段を付設することが考えられる。後者としては、例えば図１１又は図１２に示すように導光手段１２と入射部８との間に集光反射手段３１を配設することが考えられる。
【００７７】
この図１１又は図１２に示すように、集光反射手段３１によって導光手段１２から出射された光線を入射部８に向けて反射するとともに集光することで、導光手段１２の導波管をＡＴＲ結晶７の軸方向と略平行に配設していても、導光手段１２から出射された光線を効率よくＡＴＲ結晶７に入射することができる。なお、図１１に示す液浸プローブは、上記集光反射手段３１として凹面鏡が用いられ、この凹面鏡の凹状の反射面３１ａが導光手段１２の出射面及びＡＴＲ結晶の７の入射部８と対向するよう配設されている。また、図１２に示す液浸プローブは、上記集光反射手段３１として半球レンズが用いられ、この半球レンズの底面にアルミニウム等を金属蒸着することで底面が反射面として機能する。なお、図１１及び図１２においては入射位置における集光反射手段３１について図示したが、出射位置における集光反射手段についても同様の構成を採用でき、このように出射位置において集光反射手段を配設することで、受光手段の導波管をＡＴＲ結晶の軸方向と略平行に配設していても、ＡＴＲ結晶の出射部から出射された光線は集光反射手段によって受光手段に向けて反射されるともに集光されるため、光線を効率よく受光手段で受光することができる。
【００７８】
さらに、当該液浸プローブは、導光手段と入射部との間に導光手段から出射する不要な光線（導光手段が出射する光線の一部）を遮光する遮光手段を配設することも可能である。これにより、不要な光線がＡＴＲ結晶内を伝播することを防ぐことができる。なお、この遮光手段としては、特に限定されないが、例えば、導光手段の出射面と略同径の孔を備えるスペーサーを用いることができ、このスペーサーによって不要な光を遮光することができる。
【００７９】
また、上記実施形態のように入射部８及び出射部９が同一の傾斜面７ａから構成されるものに限定されるものではなく、図１３に示すように入射部３８の傾斜面３７ａと出射部３９の傾斜面３７ｂとがそれぞれ形成されたＡＴＲ結晶７を採用することも本発明の意図する範囲内である。
【００８０】
また、入射部及び出射部を同一の傾斜面から構成する場合にあっても、上記実施形態のように傾斜面７ａが平面から構成されるものに限定されるものではなく、図１４に示すように傾斜面４７ａが曲面から構成されているものも本発明の意図する範囲内である。
【００８１】
さらに、入射部又は出射部が形成されるＡＴＲ結晶の底面が、上記実施形態のように階段状に設けられているものに限定されるものではなく、図１５に示すように底面が傾斜面５７ａのみから構成されているものも本発明の意図する範囲内である。
【００８２】
また、上記実施形態のように上記傾斜面７ａがＡＴＲ結晶７の径方向において略中央（図３（Ａ）及び（Ｂ）並びに図４における紙面左右方向中央）に設けられるものに限定されるものではなく、図１６に示すように傾斜面６７ａが径方向の一方側（図１６における左側）に偏って配設されるものも本発明の意図する範囲内である。
【００８３】
さらに、液浸プローブは、有機溶剤に浸漬させて用いるものに限定されず、種々の液体に浸漬することが可能であり、また、赤外分光光度計においても、フーリエ変換赤外分光光度計に限定されず、分散型赤外分光光度計であってもよい。また、掃引型分光器、アレイ型分光器のいずれも用いることが可能である。
【実施例】
【００８４】
次に実施例を挙げて本発明をより具体的に説明するが、本発明は以下の実施例によって制限を受けるものではなく、本発明の意図する範囲で適宜変更可能である。
【００８５】
［実施例１］
（ＡＴＲ結晶）
図６に示すＡＴＲ結晶を測定対象液に浸漬し、入射部から光線を入射させ、出射部からの光線を分析した。使用したＡＴＲプローブは、サフアイア製であって、直径が２ｃｍ、上下長さ（入射部から側面下端までの軸方向の長さ）が５ｃｍの略円柱形状のものを用いた。上記入射部及び出射部は、その法線方向がＡＴＲ結晶の仮想底面に対して１５°傾いている。
【００８６】
（入射方法）
上記入射部に入射する光源としては、１００Ｗタングステンランプ（米国ＳＰＥＸ社製「１６８２Ａ」）を用いた。また、干渉計として米国ＳＰＥＸ社製「２７０Ｍ」を用いた。この分光器から出射された光線を、光ファイバーを介して、上記入射部に入射部の法線方向から入射した。
【００８７】
（測定方法）
上記入射部から入射されＡＴＲ結晶内を複数回反射した後に上記出射部から出射された光線を、光ファイバーを介して、受光器（浜松ホトニクス株式会社製「Ｇ６１２２」）によって受光した。
【００８８】
（測定結果）
測定対象液として、エタノールを用いた場合、及び水を用いた場合における吸光度分布を図１７に示す。図１７において横軸は波数［１／ｃｍ］であり、縦軸は吸光度である。この図１７から明らかなように、当該ＡＴＲ結晶によって得られた吸光度分布は、水及びエタノールの特性を表しており、当該ＡＴＲ結晶を用いることで１００Ｗタングステンランプを用いても高精度の測定を行うことができることが分かる。
【００８９】
［実施例２］
実施例２では、測定対象物を濃度が異なる四種の硫酸銅溶液とし、分光器としてＳｔｅ１１ａｒＮｅｔ社製「ＥＰＰ−２０００」を用いた以外は、実施例１と同様に測定した。なお、測定対象物としての四種の硫酸溶液の濃度は、それぞれ０ｗｔ％、１０ｗｔ％、３０ｗｔ％及び５０ｗｔ％とした。
【００９０】
この実施例２の測定結果の吸光度分布を図１８に示す。図１８において横軸は波長であり、縦軸は光線の吸光度である。この図１８から明らかなように、当該ＡＴＲ結晶によって得られた光線の吸光度の分布は、各銅濃度に対応しており、当該ＡＴＲ結晶を用いることで１００Ｗタングステンランプを用いても高精度の測定を行うことができることが分かる。
【産業上の利用可能性】
【００９１】
以上のように、本発明の液浸プローブ及びこの液浸プローブを備える赤外分光光度計は、例えば有機溶媒の反応状態の測定等に用いることができる。
【符号の説明】
【００９２】
１  赤外分光光度計
２  液浸プローブ
３  光度計本体
４  接続部
７  ＡＴＲ結晶
７ａ、３７ａ、３７ｂ、４７ａ、５７ａ  傾斜面
７ｂ  平面
８、３８  入射部
９、３９  出射部
１０  他方の底面
１０ａ  周縁部
１１  反射手段
１２  出光手段
１３  受光手段
１４  保持部
１４ａ  Ｏリング
２１  光源
２２  干渉計
２３  検出器
２４  変換処理部
２５  表示部
３０  集光手段
３１  集光反射手段
Ｌ  有機溶剤
Ｂ  仮想平面
Ｏ  軸心
【図１】
2017021024.tif 000003
【図２】
2017021024.tif 000004
【図３】
2017021024.tif 000005
【図４】
2017021024.tif 000006
【図５】
2017021024.tif 000007
【図６】
2017021024.tif 000008
【図７】
2017021024.tif 000009
【図８】
2017021024.tif 000010
【図９】
2017021024.tif 000011
【図１０】
2017021024.tif 000012
【図１１】
2017021024.tif 000013
【図１２】
2017021024.tif 000014
【図１３】
2017021024.tif 000015
【図１４】
2017021024.tif 000016
【図１５】
2017021024.tif 000017
【図１６】
2017021024.tif 000018
【図１７】
2017021024.tif 000019
【図１８】
2017021024.tif 000020
【図１９】
2017021024.tif 000021